(57)【要約】【課題】前回の撮影位置から距離的に離れた際に、距離的な隔たりを補完するインサート撮影を案内できるようにする。【解決手段】ＣＰＵ１は、シャッターボタンＳＴが操作される毎にＧＰＳ受信測位部８から取得した現在位置を撮影位置として当該撮影画像に対応付けて記録保存している状態において、ＧＰＳ受信測位部８から取得した現在位置と前回の撮影画像に対応付けられている撮影位置とを比較し、その位置変化が１ｋｍ以上であるか否かに基づいて前回の撮影位置から距離的に離れたか否かを判別し、前回の撮影位置から距離的に離れていれば、インサート撮影を促すガイダンスを表示出力する。【選択図】      図１
2010011500.tif 000002
【特許請求の範囲】
【請求項１】
撮影を促す案内を出力する撮影補助案内機能を備えたカメラ装置であって、
位置情報を取得しながら現在のカメラ位置を監視する位置監視手段と、
撮影操作が行われる毎に前記位置監視手段によって得られた位置情報を撮影位置として当該撮影画像に対応付けて記録保存している状態において、前記位置監視手段によって得られた現在のカメラ位置と前回の撮影画像に対応付けられている撮影位置とを比較し、その位置変化が所定値以上であるか否かに基づいて前回の撮影位置から距離的に離れたか否かを判別する判別手段と、
この判別手段によって前回の撮影位置から距離的に離れたことが判別された際に、距離的な隔たりを補完するためにインサート撮影を促すガイダンスを出力する撮影補助案内手段と、
を具備したことを特徴とするカメラ装置。
【請求項２】
前記判別手段は、動作モードが撮影モードに切り換えられた時点のカメラ位置と前回の撮影位置とを比較する、
ようにしたことを特徴とする請求項１記載のカメラ装置。
【請求項３】
前記判別手段は、動作モードが撮影モードに切り換えられている状態においてカメラ電源がオンされた時点のカメラ位置と前回の撮影位置とを比較する、
ようにしたことを特徴とする請求項１記載のカメラ装置。
【請求項４】
前記判別手段は、カメラ電源がオンされた時点のカメラ位置と前回の撮影位置とを比較する、
ようにしたことを特徴とする請求項１記載のカメラ装置。
【請求項５】
前記インサート撮影を案内した際のカメラ位置を案内位置として一時記憶保持している状態において、当該インサート撮影を案内した後の撮影操作時に、現在のカメラ位置と前記案内位置とを比較した結果、現在のカメラ位置が当該案内位置の近傍でなければ、前記撮影補助案内手段は、インサート撮影を促すためのガイダンスを再度出力する、
ようにしたことを特徴とする請求項１記載のカメラ装置。
【請求項６】
コンピュータに対して、
位置情報を取得しながら現在のカメラ位置を監視する機能と、
撮影操作が行われる毎に前記取得した位置情報を撮影位置として当該撮影画像に対応付けて記録保存している状態において、前記取得した現在のカメラ位置と前回の撮影画像に対応付けられている撮影位置とを比較し、その位置変化が所定値以上であるか否かに基づいて前回の撮影位置から距離的に離れたか否かを判別する機能と、
前回の撮影位置から距離的に離れたことが判別された際に、距離的な隔たりを補完するためにインサート撮影を促すガイダンスを出力する機能と、
を実現させるためのプログラム。
【請求項７】
撮影を促す案内を出力する撮影補助案内機能を備えたカメラ装置であって、
撮影操作が行われる毎に現在の時刻を撮影時刻として当該撮影画像に対応付けて記録保存している状態において、現在時刻と前回の撮影画像に対応付けられている撮影時刻とを比較し、その時間変化が所定値以上であるか否かに基づいて前回の撮影時から時間的に離れたか否かを判別する判別手段と、
この判別手段によって前回の撮影時から時間的に離れたことが判別された際に、時間的な隔たりを補完するためにインサート撮影を促すガイダンスを出力する撮影補助案内手段と、
を具備したことを特徴とするカメラ装置。
【請求項８】
前記判別手段は、動作モードが撮影モードに切り換えられた時点の現在時刻と前回の撮影時刻とを比較する、
ようにしたことを特徴とする請求項７記載のカメラ装置。
【請求項９】
前記判別手段は、動作モードが撮影モードに切り換えられている状態においてカメラ電源がオンされた時点の現在時刻と前回の撮影時刻とを比較する、
ようにしたことを特徴とする請求項７記載のカメラ装置。
【請求項１０】
前記判別手段は、カメラ電源がオンされた時点の現在時刻と前回の撮影時刻とを比較する、
ようにしたことを特徴とする請求項７記載のカメラ装置。
【請求項１１】
前記インサート撮影を案内した際の現在時刻を案内時刻として一時記憶保持している状態において、当該インサート撮影を案内した後の撮影操作時に、現在時刻と前記案内時刻とを比較した結果、現在時刻が当該案内時刻の近くでなければ、前記撮影補助案内手段は、インサート撮影を促すためのガイダンスを再度出力する、
ようにしたことを特徴とする請求項７記載のカメラ装置。
【請求項１２】
コンピュータに対して、
撮影操作が行われる毎に現在の時刻を撮影時刻として当該撮影画像に対応付けて記録保存している状態において、現在時刻と前回の撮影画像に対応付けられている撮影時刻とを比較し、その時間変化が所定値以上であるか否かに基づいて前回の撮影時から時間的に離れたか否かを判別する機能と、
前回の撮影時から時間的に離れたことが判別された際に、時間的な隔たりを補完するためにインサート撮影を促すガイダンスを出力する機能と、
を実現させるためのプログラム。
【請求項１３】
撮影を促す案内を出力する撮影補助案内機能を備えたカメラ装置であって、
今回撮影された撮影画像と前回撮影された撮影画像とを比較することによって撮影環境が変化したか否かを判別する判別手段と、
この判別手段によって撮影環境が変化したことが判別された際に、撮影環境の変化を補完するためにインサート撮影を促すガイダンスを出力する撮影補助案内手段と、
を具備したことを特徴とするカメラ装置。
【請求項１４】
前記判別手段は、今回撮影された撮影画像と前回撮影された撮影画像との明るさを比較することによって屋内撮影から屋外撮影に変化したか、屋外撮影から屋内撮影に変化したかを判別する、
ようにしたことを特徴とする請求項１３記載のカメラ装置。
【請求項１５】
前記インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、前記指定画像に優先して当該次画像を再生表示する、
ようにしたことを特徴とする請求項１３記載のカメラ装置。
【請求項１６】
コンピュータに対して、
今回撮影された撮影画像と前回撮影された撮影画像とを比較することによって撮影環境が変化したか否かを判別する機能と、
撮影環境が変化したことが判別された際に、撮影環境の変化を補完するためにインサート撮影を促すガイダンスを出力する機能と、
を実現させるためのプログラム。
【発明の詳細な説明】
【技術分野】
【０００１】
この発明は、撮影を促す案内を出力する撮影補助案内機能を備えたカメラ装置およびプログラムに関する。
【背景技術】
【０００２】
従来、撮影を促す案内を出力する撮影補助案内機能を備えたカメラ装置としては、たとえば、工事現場等において、取り直しができないような撮影忘れを防止するために予め撮影場所、撮影目的をメモリカードに記憶しておき、撮影時にメモリカードから撮影場所、撮影目的を読み出してガイダンス表示するようにした撮影方法および撮影装置が知られている（特許文献１参照）。また、撮影予定物の画像情報とそのメモ情報とを案内表示するようにした電子カメラが知られている（特許文献２参照）。
【先行技術文献】
【特許文献】
【０００３】
【特許文献１】特開２０００−１６５７８６号公報
【特許文献２】特開２００２−２０４３８４号公報
【発明の概要】
【発明が解決しようとする課題】
【０００４】
しかしながら、上述した各特許文献の技術においては、撮影時にそのガイダンス内容を確認することによって撮影場所、撮影目的を知り得たとしても、予め入力しておいた情報を読み出してガイダンス表示するというメモ機能を単に搭載しているだけにすぎず、メモ機能以上の効果を期待するまでには至らなかった。つまり、撮影者による確認を前提としているために、その確認を怠った場合、見過ごした場合には、予定通りの撮影を行うことができないおそれがあった。
【０００５】
ところで、観光旅行、行事などにおいて、撮影者は、各場面を満遍なく撮影するために、どの場面を撮影し、どの場面を撮影していないか等を考慮しながら撮影を行うようにしているが、専門家はともかく、素人の撮影者にあっては、何回もの撮影を繰り返しているうちに、撮り忘れ、偏った撮影を行うケースが多かった。たとえば、観光旅行であれば、新たな観光地を訪れる毎にその観光地の看板を撮影したり、時間の経過と共に各場面を満遍なく撮影したり、記念館に入場する際にその看板あるいは建物の外観を撮影するようにすれば、撮影した一連の撮影画像を効果的に繋げることができるが、このようなインサートカットの撮影を忘れたると、その撮り直しが不可能となり、また、インサートカットの撮影タイミングを大きく間違えると、一連の撮影画像の前後が不自然なものとなるなどの問題があった。
【０００６】
第１の発明の課題は、前回の撮影位置から距離的に離れた際に、距離的な隔たりを補完するインサート撮影を案内できるようにすることである。
第２の発明の課題は、前回の撮影時から時間的に離れた際に、時間的な隔たりを補完するインサート撮影を案内できるようにすることである。
第３の発明の課題は、前回の撮影環境から今回の撮影環境が変化した際に、撮影環境の変化を補完するインサート撮影を案内できるようにすることである。
【課題を解決するための手段】
【０００７】
請求項１記載の発明（第１の発明）は、撮影を促す案内を出力する撮影補助案内機能を備えたカメラ装置であって、位置情報を取得しながら現在のカメラ位置を監視する位置監視手段と、撮影操作が行われる毎に前記位置監視手段によって得られた位置情報を撮影位置として当該撮影画像に対応付けて記録保存している状態において、前記位置監視手段によって得られた現在のカメラ位置と前回の撮影画像に対応付けられている撮影位置とを比較し、その位置変化が所定値以上であるか否かに基づいて前回の撮影位置から距離的に離れたか否かを判別する判別手段と、この判別手段によって前回の撮影位置から距離的に離れたことが判別された際に、距離的な隔たりを補完するためにインサート撮影を促すガイダンスを出力する撮影補助案内手段とを具備したことを特徴とする。
さらに、コンピュータに対して、上述した請求項１記載の発明に示した主要機能を実現させるためのプログラムを提供する（請求項６記載の発明）。
なお、「カメラ装置」は、主に動画撮影を行うビデオカメラであってもく、主に静止画撮影を行うスチルカメラであってもよい（以下、同様）。
【０００８】
なお、請求項１記載の発明は次のようなものであってもよい。
前記判別手段は、動作モードが撮影モードに切り換えられた時点のカメラ位置と前回の撮影位置とを比較する（請求項２記載の発明）。なお、「撮影モード」とは、撮影が可能な動作状態を意味しているが、スタンバイ状態をも含むようにしてもよい（以下、同様）。また、前記判別手段は、動作モードが撮影モードに切り換えられている状態においてカメラ電源がオンされた時点のカメラ位置と前回の撮影位置とを比較する（請求項３記載の発明）。また、前記判別手段は、カメラ電源がオンされた時点のカメラ位置と前回の撮影位置とを比較する（請求項４記載の発明）。
【０００９】
前記インサート撮影を案内した際のカメラ位置を案内位置として一時記憶保持している状態において、当該インサート撮影を案内した後の撮影操作時に、現在のカメラ位置と前記案内位置とを比較した結果、現在のカメラ位置が当該案内位置の近傍でなければ、前記撮影補助案内手段は、インサート撮影を促すためのガイダンスを再度出力する（請求項５記載の発明）。
【００１０】
請求項７記載の発明（第２の発明）は、撮影を促す案内を出力する撮影補助案内機能を備えたカメラ装置であって、撮影操作が行われる毎に現在の時刻を撮影時刻として当該撮影画像に対応付けて記録保存している状態において、現在時刻と前回の撮影画像に対応付けられている撮影時刻とを比較し、その時間変化が所定値以上であるか否かに基づいて前回の撮影時から時間的に離れたか否かを判別する判別手段と、この判別手段によって前回の撮影時から時間的に離れたことが判別された際に、時間的な隔たりを補完するためにインサート撮影を促すガイダンスを出力する撮影補助案内手段とを具備したことを特徴とする。
さらに、コンピュータに対して、上述した請求項７記載の発明に示した主要機能を実現させるためのプログラムを提供する（請求項１２記載の発明）。
【００１１】
なお、請求項７記載の発明は次のようなものであってもよい。
前記判別手段は、動作モードが撮影モードに切り換えられた時点の現在時刻と前回の撮影時刻とを比較する（請求項８記載の発明）。また、前記判別手段は、動作モードが撮影モードに切り換えられている状態においてカメラ電源がオンされた時点の現在時刻と前回の撮影時刻とを比較する（請求項９記載の発明）。また、前記判別手段は、カメラ電源がオンされた時点の現在時刻と前回の撮影時刻とを比較する（請求項１０記載の発明）。
【００１２】
前記インサート撮影を案内した際の現在時刻を案内時刻として一時記憶保持している状態において、当該インサート撮影を案内した後の撮影操作時に、現在時刻と前記案内時刻とを比較した結果、現在時刻が当該案内時刻の近くでなければ、前記撮影補助案内手段は、インサート撮影を促すためのガイダンスを再度出力する（請求項１１記載の発明）。
【００１３】
請求項１３記載の発明（第３の発明）は、撮影を促す案内を出力する撮影補助案内機能を備えたカメラ装置であって、今回撮影された撮影画像と前回撮影された撮影画像とを比較することによって撮影環境が変化したか否かを判別する判別手段と、この判別手段によって撮影環境が変化したことが判別された際に、撮影環境の変化を補完するためにインサート撮影を促すガイダンスを出力する撮影補助案内手段とを具備したことを特徴とする。
さらに、コンピュータに対して、上述した請求項１３記載の発明に示した主要機能を実現させるためのプログラムを提供する（請求項１６記載の発明）。
【００１４】
なお、請求項１３記載の発明は次のようなものであってもよい。
前記判別手段は、今回撮影された撮影画像と前回撮影された撮影画像との明るさを比較することによって屋内撮影から屋外撮影に変化したか、屋外撮影から屋内撮影に変化したかを判別する（請求項１４記載の発明）。
【００１５】
前記インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、前記指定画像に優先して当該次画像を再生表示する（請求項１５記載の発明）。
【発明の効果】
【００１６】
請求項１記載の発明（第１の発明）によれば、撮影操作が行われる毎に現在の位置情報が撮影位置として当該撮影画像に対応付けて記録保存されている状態において、現在のカメラ位置と前回の撮影画像に対応付けられている撮影位置とを比較し、その位置変化が所定値以上であるか否かに基づいて前回の撮影位置から距離的に離れたか否かを判別し、前回の撮影位置から距離的に離れていれば、インサート撮影を促すガイダンスを出力するようにしたから、距離的な隔たりを補完するインサート撮影を案内することができる。したがって、たとえば、観光旅行等において移動に伴って各場面を満遍なく撮影することができたり、新たな観光地を訪れる毎にその観光地の看板などを忘れずに撮影することができるなど、効果的な撮影補助案内が可能となる。
【００１７】
この場合、撮影モードに切り換えられた時点のカメラ位置と前回の撮影位置とを比較するようにすれば（請求項２記載の発明）、撮影を開始するために撮影モードに切り換えた直後に前回の撮影位置から距離的に離れているかを判別することができる。また、撮影モードに切り換えられている状態においてカメラ電源がオンされた時点のカメラ位置と前回の撮影位置とを比較するようにすれば（請求項３記載の発明）、撮影を一時中断するために撮影モードのままカメラ電源をオフしたとしても、その後、カメラ電源をオン復帰させた時点で前回の撮影位置から距離的に離れているかを判別することができる。また、カメラ電源がオンされた時点のカメラ位置と前回の撮影位置とを比較するようにすれば（請求項４記載の発明）、カメラ電源をオンした直後に前回の撮影位置から距離的に離れているかを判別することができる。
【００１８】
請求項５記載の発明によれば、上述した請求項１記載の発明と同様の効果を有する他、インサート撮影を案内した際のカメラ位置を案内位置として一時記憶保持している状態において、当該インサート撮影を案内した後の撮影操作時に、現在のカメラ位置と案内位置とを比較した結果、現在のカメラ位置が当該案内位置の近傍でなければ、インサート撮影を促すためのガイダンスを再度出力するようにしたから、案内の見逃し、聞き逃しを確実に防止することができる。
【００１９】
請求項７記載の発明（第２の発明）によれば、撮影操作が行われる毎に現在の時刻が撮影時刻として当該撮影画像に対応付けて記録保存されている状態において、現在時刻と前回の撮影画像に対応付けられている撮影時刻とを比較し、その時間変化が所定値以上であるか否かに基づいて前回の撮影時から時間的に離れたか否かを判別し、前回の撮影時から時間的に離れた際に、インサート撮影を促すガイダンスを出力するようにしたから、時間的な隔たりを補完するインサート撮影を案内することができる。したがって、たとえば、観光旅行等において時間の経過と共に各場面を満遍なく撮影することができたり、新たな観光地を訪れる毎にその観光地の看板などを忘れずに撮影することができるなど、効果的な撮影補助案内が可能となる。
【００２０】
この場合、撮影モードに切り換えられた時点の現在時刻と前回の撮影時刻とを比較するようにすれば（請求項８記載の発明）、撮影を開始するために撮影モードに切り換えた直後に前回の撮影時から時間的に離れているかを判別することができる。また、撮影モードに切り換えられている状態においてカメラ電源がオンされた時点の現在時刻と前回の撮影時刻とを比較するようにすれば（請求項９記載の発明）、撮影を一時中断するために撮影モードのままカメラ電源をオフしたとしても、その後、カメラ電源をオン復帰させた時点で前回の撮影時から時間的に離れているかを判別することができる。また、カメラ電源がオンされた時点の現在時刻と前回の撮影時刻とを比較するようにすれば（請求項１０記載の発明）、カメラ電源をオンした直後に前回の撮影時から時間的に離れているかを判別することができる。
【００２１】
請求項１１記載の発明によれば、上述した請求項７記載の発明と同様の効果を有する他、インサート撮影を案内した際の現在時刻を案内時刻として一時記憶保持している状態において、当該インサート撮影を案内した後の撮影操作時に、現在時刻と前記案内時刻とを比較した結果、現在時刻が当該案内時刻の近くでなければ、インサート撮影を促すためのガイダンスを再度出力するようにしたから、案内の見逃し、聞き逃しを確実に防止することができる。
【００２２】
請求項１３記載の発明（第３の発明）によれば、今回撮影された撮影画像と前回撮影された撮影画像とを比較することによって撮影環境が変化したか否かを判別し、撮影環境が変化していれば、インサート撮影を促すガイダンスを出力するようにしたから、撮影環境の変化を補完するインサート撮影を案内することができ、撮影環境が変化する毎に各場面を満遍なく撮影することができるなど、効果的な撮影補助案内が可能となる。
【００２３】
請求項１４記載の発明によれば、上述した請求項１３記載の発明と同様の効果を有する他、今回撮影された撮影画像と前回撮影された撮影画像との明るさを比較することによって屋内撮影から屋外撮影に変化したか、屋外撮影から屋内撮影に変化したかを判別するようにしたから、たとえば、記念館に入場する際にその看板あるいは建物の外観などをインサート撮影することができる。
【００２４】
請求項１５記載の発明によれば、上述した請求項１３記載の発明と同様の効果を有する他、インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、指定画像に優先して当該次画像を再生表示するようにしたから、たとえば、公園を撮影してから記念館で屋内撮影を行った場合、記念館の看板あるいは外観を撮影したインサート画像を再生してから屋内画像を再生することができ、保存影画像の並び順を変更する編集作業を行うことなく、自然な繋がりで画像再生することができる。
【図面の簡単な説明】
【００２５】
【図１】デジタルカメラの基本的構成要素を示したブロック図。
【図２】カメラ電源がオンされた際に実行開始されるカメラ動作を示したフローチャート。
【図３】図２に続く、カメラ動作を示したフローチャート。
【図４】場所に関するインサートカットの撮影ガイダンス画面を示した図。
【図５】時間に関するインサートカットの撮影ガイダンス画面を示した図。
【図６】第２実施例において、カメラ電源がオンされた際に実行開始されるカメラ動作を示したフローチャート。
【図７】図６に続く、カメラ動作を示したフローチャート。
【図８】各撮影画像がその撮影順に記録保存されている様子を例示した図。
【図９】図８に示した各撮影画像の再生順を説明するための図。
【発明を実施するための形態】
【００２６】
（実施例１）
以下、図１〜図５を参照して本発明の第１実施例を説明する。
図１は、この実施例におけるデジタルカメラの基本的構成要素を示したブロック図である。
このデジタルカメラは、衛星系／地上系の測位システム（ＧＰＳ）からの電波を受信して自己の現在位置（カメラ位置）を取得可能な携帯型カメラであり、静止画撮影が可能なビデオカメラあるいは動画撮影が可能なスチルカメラである。このデジタルカメラには、撮影者に撮影すべきことを促すガイダンスを出力する撮影補助案内機能が備えられている。この撮影補助案内機能は、前回の撮影位置から距離的に離れた際に、距離的な隔たりを補完するためにインサートカットの撮影を案内表示したり、前回の撮影時から時間的に離れた際に、時間的な隔たりを補完するためにインサートカットの撮影を案内表示する機能である。
なお、この実施例の特徴部分を詳述する前に、この実施例のハードウェア上の構成について以下、説明しておく。
【００２７】
ＣＰＵ１は、記憶部２内のオペレーティングシステム、各種アプリケーションソフトに応じてこのデジタルカメラの全体動作を制御する中央演算処理装置である。記憶部２は、ＲＯＭ、ハードディスク等の固定的なメモリであり、プログラム記憶領域とデータ記憶領域とを有している。この記憶部２内のプログラム記憶領域には、後述する図２および図３に示す動作手順に応じて本実施例を実現するためのアプリケーションプログラムが格納されている。この記憶部２内のプログラム、データは、必要に応じてワークメモリ３にロードされたり、このワークメモリ３内のデータが記憶部２にセーブされる。なお、記録メディア４は、ＤＶＤ等の着脱自在なメモリであり、記憶部２あるいはワークメモリ３との間においてプログラム、画像データ等の受け渡しを行う。
【００２８】
一方、ＣＰＵ１には、その入出力周辺デバイスである操作部５、表示部６、カメラ撮影部７、ＧＰＳ受信測位部８がバスラインを介して接続されており、入出力プログラムに応じてＣＰＵ１は、これらの入出力デバイスの動作制御を行う。
操作部５は、シャッターボタンＳＴ、撮影モード／再生モードに切り換えるモードボタンＭＤ、各種のファンクションボタンなどを有し、その操作信号はＣＰＵ１に与えられる。表示部６は、たとえば、タッチパネル付きの液晶表示部であり、モニタ画面／ファインダ画面／画像再生画面として使用される。
【００２９】
カメラ撮影部７は、撮影レンズ、ミラー等のレンズ・ミラーブロック、ＣＣＤイメージセンサ等の撮像素子、その駆動系等を備えたもので、ＣＰＵ１は、光学ズーム機能を調整制御したり、オートフォーカス時の駆動制御、シャッター駆動制御、露出等を制御するもので、ＣＰＵ１は、画像メモリ９を介して撮影画像を取り込んで記録メディア４に記録保存するようにしている。ＧＰＳ受信測位部８は、ＧＰＳからの電波を受信して自己の現在位置（カメラ位置）を取得するもので、ＣＰＵ１は、撮影操作が行われる毎にＧＰＳ受信測位部８から現在位置を取得するほか、時計部（図示せず）から現在時刻を取得し、この現在位置を撮影位置を示す情報、現在時刻を撮影時刻を示す情報として当該撮影画像に付加して記録保存するようにしている。すなわち、各撮影画像には、ファイル名と共に撮影位置、撮影時刻が付加されている。
【００３０】
モードボタンＭＤの操作によって撮影モードに切り換えられている状態において、ＣＰＵ１は、ＧＰＳ受信測位部８から現在位置を取得すると共に、前回の撮影画像（最後に撮影された直前画像）に付加されている撮影位置を読み出して現在位置と比較することによってその位置変化が所定値（たとえば、１ｋｍ）以上であるか否かに基づいて前回の撮影位置から距離的に離れたか否かを判別し、前回の撮影位置から距離的に離れていれば、インサートカットの撮影を促すガイダンスを表示出力するようにしている。同様に、ＣＰＵ１は、撮影モードにおいて、時計部から現在時刻を取得すると共に、前回の撮影画像に付加されている撮影時刻を読み出して現在時刻と比較することによってその時間変化が所定値（たとえば、１時間）以上であるか否かに基づいて前回の撮影位置から時間的に離れたか否かを判別し、前回の撮影位置から時間的に離れていれば、インサートカットの撮影を促すガイダンスを表示出力するようにしている。
【００３１】
次ぎに、この第１実施例におけるデジタルカメラの動作概念を図２および図３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００３２】
図２および図３は、カメラ電源がオンされた際に実行開始されるカメラ動作を示したフローチャートである。
先ず、ＣＰＵ１は、カメラ電源がオンされると、現在の動作モードを判別し、撮影モードか再生モードかを調べる（図２のステップＡ１）。いま、再生モードにセットされている場合には、ステップＡ１２に移るが、撮影モードにセットされていれば、ＧＰＳ受信測位部８から現在位置を取得すると共に（ステップＡ２）、前回の撮影画像に付加されている「撮影位置」および「撮影時刻」を読み出した後（ステップＡ３）、現在位置と撮影位置とを比較することによって（ステップＡ４）、その位置変化が１ｋｍ以上離れているか、つまり、前回撮影した位置から１ｋｍ以上移動したかを判別する（ステップＡ５）。この場合、前回の撮影位置から１ｋｍ以上離れていれば、場所に関するインサートカットの撮影ガイドを表示出力させる（ステップＡ６）。ここで、図４は、場所に関するインサートカットの撮影ガイダンス画面を示した図である。このガイダンス画面には、前回撮影時からだいぶ場所が移動していることを示す案内文と、この距離的な隔たりを補完するためにインサート撮影を促す案内文が表示される。なお、このようなガイド表示のほか、インサート撮影を促すアラーム音を発生出力するようにしてもよい。
【００３３】
一方、前回の撮影位置から１ｋｍ以上離れていなければ（ステップＡ５でＮＯ）、現在時刻と前回の撮影時刻とを比較することによって（ステップＡ９）、その時間変化が１時間以上か、つまり、前回の撮影時から１時間以上経過したか否かを判別する（ステップＡ１０）。この場合、前回の撮影時から１時間以上経過していれば、時間に関するインサートカットの撮影ガイドを表示出力させる（ステップＡ１１）。図５は、時間に関するインサートカットの撮影ガイダンス画面を示した図である。このガイダンス画面には、前回撮影時からだいぶ時間が経過していることを示す案内文と、この時間的な隔たりを補完するためにインサート撮影を促す案内文が表示される。なお、このようなガイド表示のほか、インサート撮影を促すアラーム音を発生出力するようにしてもよい。
【００３４】
このようにインサートカットの撮影ガイダンスを表示出力した後は、ガイド済みであることを示すためにガイド済みフラグ（図示せず）をセットすると共に（ステップＡ７）、現在位置、現在時刻をガイド表示時の「ガイド位置」、「ガイド時刻」として一時記憶しておく（ステップＡ８）。そして、図３のステップＡ２０に移り、モニタ画像を取得して表示出力させている状態において、何らかの操作が行われるまで待機する（ステップＡ２１）。ここで、シャッターボタンＳＴが操作された際には（ステップＡ２２でＹＥＳ）、それに応答して撮影された画像を取得すると共に（ステップＡ２３）、現在位置、現在時刻を取得し（ステップＡ２４）、当該撮影画像に現在位置、現在時刻を「撮影位置」、「撮影時刻」として付加して記録保存する（ステップＡ２５）。
【００３５】
そして、上述のガイド済みフラグのセット有無を調べ（ステップＡ２６）、ガイド済みフラグがセットされていなければ、図２のステップＡ２０に戻り、以下、上述したようにインサートカットの撮影条件をチェックするが、ガイド済みフラグがセットされている場合には（図３のステップＡ２６でＹＥＳ）、上述した「ガイド位置」を読み出し、現在位置とガイド位置とを比較することによって現在位置はガイド位置から１００ｍ以上離れているかをチェックする（ステップＡ２８）。ここで、現在位置がガイド位置から１００ｍ以上離れている場合には、図４に示した場所に関するインサートカットの撮影ガイドを再度出力させた後（ステップＡ２９）、ステップＡ２に戻る。したがって、ガイド済みフラグがセットされている状態において、ガイド位置から１００ｍ以上離れていれば、シャッター操作が行われる都度、場所に関する撮影ガイドが再表示される。
【００３６】
また、現在位置がガイド位置を基準として半径１００ｍ未満であり、ガイド位置の近傍であれば（ステップＡ２８でＮＯ）、上述した「ガイド時刻」を読み出し、現在時刻とガイド時刻とを比較することによって（ステップＡ３０）、ガイド時刻から１０分以上経過したかをチェックし（ステップＡ３１）、１０分以上経過していれば、図５に示した時間に関するインサートカットの撮影ガイドを再度出力させた後（ステップＡ）、ステップＡ２０に戻る。したがって、ガイド済みフラグがセットされている状態において、ガイド時刻から１０分以上経過していれば、シャッター操作が行われる都度、時間に関する撮影ガイドが再表示される。
【００３７】
他方、現在位置がガイド位置の近傍であり（ステップＡ２８でＮＯ）、かつ、ガイド時刻から１０分経過前であれば（ステップＡ３１でＮＯ）、今回のシャッター操作に応じた撮影は、インサートカットの撮影と見なして、ステップＡ３３に移り、ガイド済みフラグをリセットさせた後、ステップＡ２０に戻る。
なお、シャッターボタンＳＴ以外の操作が行われた場合、つまり、モードボタンＭＤが操作された場合には（ステップＡ３４でＹＥＳ）、撮影モードを解除して再生モードに切り換えた後に（ステップＡ３５）、図２のステップＡ１２に移るが、撮影モードにおいて、その他のボタンが操作された場合には（ステップＡ３４でＮＯ）、操作ボタンに応じた処理を実行した後に（ステップＡ３６）、ステップＡ２０に戻る。
【００３８】
いま、再生モードに切り換えられた状態において、再生対象として任意に指定された撮影済み画像を読み出して表示出力させる（図２のステップＡ１２）。そして、何らかの操作待ち状態において（ステップＡ１３）、モードボタンＭＤが操作された場合には（ステップＡ１４でＹＥＳ）、再生モードを解除して撮影モードに切り換えた後に（ステップＡ１５）、上述のステップＡ２に移る。また、再生モードにおいて、その他のボタンが操作された場合には（ステップＡ１４でＮＯ）、操作ボタンに応じた処理を実行した後に（ステップＡ１６）、ステップＡ１３に戻って操作待ちとなる。
【００３９】
以上のように、この第１実施例においてＣＰＵ１は、シャッターボタンＳＴが操作される毎にＧＰＳ受信測位部８から取得した現在位置を撮影位置として当該撮影画像に対応付けて記録保存している状態において、ＧＰＳ受信測位部８から取得した現在位置と前回の撮影画像に対応付けられている撮影位置とを比較し、その位置変化が１ｋｍ以上であるか否かに基づいて前回の撮影位置から距離的に離れたか否かを判別し、前回の撮影位置から距離的に離れていれば、インサート撮影を促すガイダンスを表示出力するようにしたから、距離的な隔たりを補完するインサート撮影を案内することができる。したがって、たとえば、観光旅行等において移動に伴って各場面を満遍なく撮影することができるなど、効果的な撮影補助案内が可能となる。
【００４０】
また、ＣＰＵ１は、シャッターボタンＳＴが操作される毎に時計部から取得した現在時刻を撮影時刻として当該撮影画像に対応付けて記録保存している状態において、現在時刻と前回の撮影画像に対応付けられている撮影時刻とを比較し、その時間変化が１時間以上経過しているか否かに基づいて前回の撮影時から時間的に離れたか否かを判別し、前回の撮影時から時間的に離れた際に、インサート撮影を促すガイダンスを表示出力するようにしたから、時間的な隔たりを補完するインサート撮影を案内することができる。したがって、たとえば、観光旅行等において時間の経過と共に各場面を満遍なく撮影することができるなど、効果的な撮影補助案内が可能となる。
【００４１】
この場合、ＣＰＵ１は、撮影モードに切り換えられた時点の現在位置／現在時刻と前回の撮影位置／撮影時刻とを比較するようにしたから、撮影を開始するために撮影モードに切り換えた直後に前回の撮影位置／撮影時刻から距離的／時間的に離れているかを判別することができる。また、撮影モードに切り換えられている状態においてカメラ電源がオンされた時点の現在位置／現在時刻と前回の／撮影位置／撮影時刻とを比較するようにしたから、撮影を一時中断するために撮影モードのままカメラ電源をオフしたとしても、その後、カメラ電源をオン復帰させた時点で前回の撮影位置／撮影時刻から距離的／時間的に離れているかを判別することができる。また、カメラ電源がオンされた時点の現在位置／現在時刻と前回の撮影位置／撮影時刻とを比較するようにしたから、カメラ電源をオンした直後に前回の撮影位置／撮影時刻から距離的／時間的に離れているかを判別することができる。
【００４２】
また、ＣＰＵ１は、インサート撮影を案内した際のガイド位置／ガイド時刻を一時記憶している状態において、インサート撮影を案内した後の撮影操作時に、現在位置／現在時刻とガイド位置／ガイド時刻とを比較した結果、現在位置がガイド位置の近傍でない場合あるいは現在時刻がガイド時刻の近くでない場合には、インサート撮影を促すガイダンスを再度表示するようにしたから、案内の見逃しを確実に防止することができる。
【００４３】
なお、上述した第１実施例においては、特に言及しなかったが、移動距離は、徒歩移動か乗り物移動かによって大きく相違するため、単位時間当たりの移動距離に基づいて移動速度を算出することによって徒歩移動か乗り物移動かを判別し、徒歩移動であれば、インサート撮影を案内するための撮影補助案内機能を作動させるようにしてもよい。また、撮影画像が記録されていない新たな記録メディアが装着された際には、前回の撮影画像が存在しないが、このような最初の時点では、無条件にインサート撮影を案内するようにしてもよい。
【００４４】
上述した第１実施例においては、前回の撮影位置／撮影時刻から距離的／時間的に離れているか否かを判断する基準値として、「１ｋｍ以上」、「１時間以上」を例示したが、撮影者が任意の値を設定するようにしてもよい。
また、上述した第１実施例においては、前回の撮影位置／撮影時刻から距離的／時間的に離れているか否かをそれぞれ単独で判別するようにしたが、それらを組み合わせて判別するようにしてもよい。たとえば、自動車移動している場合には、前回の撮影位置から１ｋｍ以上離れており、かつ、前回の撮影時刻から１時間以上経過している場合に、インサート撮影を案内するようにしてもよい。また、前回の撮影時刻から１時間以上経過し、かつ、前回の撮影位置から１００ｍ以上離れている場合に、インサート撮影を案内するようにすれば、一箇所に留まっているようなケースであれば、案内対象外とすることができる。
【００４５】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、位置情報を取得しながら現在のカメラ位置を監視する機能と、撮影操作が行われる毎に前記取得した位置情報を撮影位置として当該撮影画像に対応付けて記録保存している状態において、前記取得した現在のカメラ位置と前回の撮影画像に対応付けられている撮影位置とを比較し、その位置変化が所定値以上であるか否かに基づいて前回の撮影位置から距離的に離れたか否かを判別する機能と、前回の撮影位置から距離的に離れたことが判別された際に、距離的な隔たりを補完するためにインサート撮影を促すガイダンスを出力する機能とを実現させるためのプログラムを記録したコンピュータが読み取り可能な記録媒体を提供するようにしてもよい。
【００４６】
また、コンピュータが読み取り可能なプログラムコードを有する記録媒体であって、撮影操作が行われる毎に現在の時刻を撮影時刻として当該撮影画像に対応付けて記録保存している状態において、現在時刻と前回の撮影画像に対応付けられている撮影時刻とを比較し、その時間変化が所定値以上であるか否かに基づいて前回の撮影時から時間的に離れたか否かを判別する機能と、前回の撮影時から時間的に離れたことが判別された際に、時間的な隔たりを補完するためにインサート撮影を促すガイダンスを出力する機能とを実現させるためのプログラムを記録したコンピュータが読み取り可能な記録媒体を提供するようにしてもよい。
（実施例２）
【００４７】
以下、この発明の第２実施例について図６〜図９を参照して説明する。
なお、上述した第１実施例においては、前回の撮影位置／撮影時刻から距離的／時間的に離れている場合にインサート撮影を案内するようにしたが、この第２実施例においては、前回の撮影環境から今回の撮影環境が変化した際に、撮影環境の変化を補完するインサート撮影を案内するようにしたものである。
ここで、両実施例において基本的あるいは名称的に同一のものは、同一符号を付して示し、その説明を省略すると共に、以下、第２実施例の特徴部分を中心に説明するものとする。
【００４８】
図６および図７は、第２実施例において、カメラ電源がオンされた際に実行開始されるカメラ動作を示したフローチャートである。
先ず、ＣＰＵ１は、カメラ電源がオンされると、現在の動作モードを判別し、撮影モードか再生モードかを調べる（ステップＢ１）。いま、再生モードにセットされている場合には、図７のステップＢ２０に移るが、撮影モードにセットされていれば、操作待ち状態となる（ステップＢ２）。ここで、シャッターボタンＳＴが操作されたか（ステップＢ３）、モードボタンＭＤが操作されたかを判別し（ステップＢ４）、モードボタンＭＤが操作された場合には、撮影モードを解除して再生モードに切り換えた後に（ステップＢ６）、図７のステップＢ２０に移るが、撮影モードにおいて、その他のボタンが操作された場合には（ステップＢ４でＮＯ）、操作ボタンに応じた処理を実行した後に（ステップＢ５）、ステップＢ２に戻って操作待ちとなる。
【００４９】
いま、シャッターボタンＳＴが操作された場合には（ステップＢ３でＹＥＳ）、撮影画像を取得して記録保存した後（ステップＢ７）、前回撮影した撮影済み画像の有無をチェックする（ステップＢ８）。この場合、撮影画像が記録されていない新たな記録メディアが装着された最初の時点では、前回の撮影済み画像は存在しないため、ステップＢ１２に移り、後述するインサート撮影を促すガイドを表示出力させるが、前回の撮影済み画像が存在していれば、ステップＢ９に移り、今回撮影した撮影画像を解析することによってその被写体の周囲において光に照らされている部分の明るさの度合いを検出する。この場合、予め決められている基準レベルに比べ明るいか暗いかを検出するようにしている。
【００５０】
そして、前回撮影された撮影画像を読み出して画像解析を行うことによってその明るさの度合いを検出した後、今回の撮影画像と前回の撮影画像の明るさ度合いを比較し（ステップＢ１０）、それらの明るさ度合いが大きく変化しているか否かをステップする（ステップＢ１１）。この場合、明るさ度合いの変化によって屋内撮影から屋外撮影あるいは屋外撮影から屋内撮影に移行したか判別することができる。すなわち、今回の撮影画像が明るく、前回の撮影画像が暗ければ、屋外撮影から屋内撮影に移行したと判断し、逆に、今回の撮影画像が暗く、前回の撮影画像が明るければ、屋内撮影から屋外撮影に移行したと判断する。つまり、撮影環境が大きく変化したと判断する。
【００５１】
いま、今回と前回の撮影画像の明るさ度合いの変化が小さく、撮影環境が大きく変化しなければ （ステップＢ１１でＮＯ）、つまり、両画像とも明るい場合あるいは暗い場合には、上述のステップＢ２に移って操作待ち状態となるが、今回と前回の撮影画像の明るさが大きく変化していれば（ステップＢ１１でＹＥＳ）、環境変化によるインサートカット撮影を促すガイドを表示出力させる（ステップＢ１２）。このガイダンス画面には、撮影環境が大きく変化したことを示す案内文と、この環境変化を補完するためにインサート撮影を促す案内文が表示される。ここで、撮影者からの指示待ち状態となり、撮影者からインサート撮影を行うＯＫ指示を受けた後（ステップＢ１３でＹＥＳ）、シャッター操作が行われると（ステップＢ１４でＹＥＳ）、シャッター操作に応答してその撮影画像を取得して記録保存すると共に（ステップＢ１５）、インサート画像であることを示すために当該撮影画像にインサートカットフラグを付加する（ステップＢ１６）。そして、ステップＢ２に戻り、操作待ち状態となる。以下、撮影モードにおいて、シャッター操作が行われる毎に上述の動作が繰り返される。
【００５２】
図８は、このようにして撮影された各撮影画像がその撮影順に記録保存されている様子を例示したもので、２番目に撮影された画像は、１番目に撮影された画像に対して撮影環境が大きく変化し、たとえば、屋内撮影から屋外撮影あるいは屋外撮影から屋内撮影に移行した場合であるから、インサートカット撮影を促すガイド表示に応答して撮影された２番目の画像にはインサートカットフラグがセットされる。同様に、６番目に撮影された画像も５番目に撮影された画像に対して撮影環境が大きく変化した場合であるから、インサートカット撮影を促すガイド表示に応答して撮影された６番目の画像にはインサートカットフラグがセットされる。
【００５３】
他方、撮影モードから再生モードに切り換えられた場合には、図７のステップＢ２０に移り、直前に撮影された画像を読み出して表示した後、操作待ち状態となる（ステップＢ２１）。ここで、スライド再生を指示するボタンが操作されたか（ステップＢ２２）、モードボタンＭＤが操作されたかを判別し（ステップＢ２３）、モードボタンＭＤが操作された場合には、再生モードを解除して撮影モードに切り換えた後に（ステップＢ２５）、図６のステップＢ２に戻るが、再生モードにおいて、その他のボタンが操作された場合には（ステップＢ２３でＮＯ）、操作ボタンに応じた処理（たとえば、再生対象を選択指定する処理など）を実行した後に（ステップＢ２４）、ステップＢ２１に戻って操作待ちとなる。
【００５４】
いま、スライド再生を指示するボタンが操作された場には（ステップＢ２２でＹＥＳ）、再生対象として選択された複数の画像のうち、その先頭画像を指定した後（ステップＢ２６）、この指定画像の次ぎに記録保存されている画像をアクセスし、インサートカットフラグの有無をチェックする（ステップＢ２７）。いま、図８の例では、１番目の画像を指定している状態において、次ぎの２番目の画像には、インサートカットフラグが付加されているので、ステップＢ２８でフラグ有りが検出されてステップＢ２９に移り、指定画像（１番目の画像）に優先して次画像（２番目の画像）を読み出して表示出力させる。
図９は、図８に示した各撮影画像の再生順を示したもので、１番目の画像よりも２番目の画像の方が先に表示される。ここで、画像送りボタンの操作待ち状態において（ステップＢ３０）、送りボタンが操作された際には、次画像（２番目の画像）に代わって指定画像（１番目の画像）を読み出して表示出力させる（ステップＢ３１）。
【００５５】
ここで、指定画像（１番目の画像）が表示されている状態において、さらに、送りボタンが操作された際には（ステップＢ３２）、今回優先表示したフラグ付き画像（２番目の画像）の次ぎの画像（３番目の画像）を指定し（ステップＢ３３）、この指定画像の次ぎの画像（４番目の画像）にインサートカットフラグが付加されているかをチェックするが（ステップＢ２７）、この４番目の画像にはフラグが付加されていないので（ステップＢ２８でＮＯ）、ステップＢ３４に移り、指定画像（３番目の画像）を読み出して表示出力させる。ここで、送りボタンが操作された際には（ステップＢ３５）、次画像（４番目の画像）を指定した後（ステップＢ３６）、ステップＢ２７に戻り、上述の動作が繰り返される。この場合、５番目の画像を指定した際には、次ぎの６番目の画像には、インサートカットフラグが付加されているので、図９に示すように、５番目の画像よりも６番目の画像の方が先に表示される。以下、再生対象として選択された全ての画像を表示し終わるまで同様の動作が繰り返される。
【００５６】
以上のように、この第２実施例においてＣＰＵ１は、今回撮影された撮影画像と前回撮影された撮影画像との明るさ度合いを比較することによって撮影環境が変化したか否かを判別し、撮影環境が変化していれば、インサート撮影を促すガイダンスを表示出力するようにしたから、撮影環境の変化を補完するインサート撮影を案内することができ、撮影環境が変化する毎に各場面を満遍なく撮影することができるなど、効果的な撮影補助案内が可能となる。この場合、今回撮影された撮影画像と前回撮影された撮影画像との明るさ度合いを比較することによって屋内撮影から屋外撮影に変化したか、屋外撮影から屋内撮影に変化したかを判別するようにしたから、たとえば、記念館に入場する際にその看板あるいは建物の外観などをインサート撮影することができる。
【００５７】
また、インサート撮影を案内した後に撮影された撮影画像にインサート画像であることを示すインサートカットフラグが付加されている状態において、画像再生時に複数の撮影済み画像をその撮影順に指定して再生表示させる際に、再生対象として指定された指定画像の次ぎに位置する次画像にインサートカットフラグが付加されているか否かを調べ、インサートカットフラグが付加されていれば、指定画像に優先して当該次画像を再生表示するようにしたから、たとえば、公園を撮影してから記念館で屋内撮影を行った場合、記念館の看板あるいは外観を撮影したインサート画像を再生してから屋内画像を再生することができ、保存影画像の並び順を変更する編集作業を行うことなく、自然な繋がりで画像再生することができる。
【００５８】
なお、上述した第２実施例においては、屋内撮影から屋外撮影に変化したか、屋外撮影から屋内撮影に変化したかを判別するようにしたが、撮影環境の変化としては、たとえば、昼から夕暮れ、夜から朝明けを判別するようにすれば、夕日のインサート画像、朝日のインサート画像を撮影することができ、昼間の撮影画像から急に夜間の撮影に移ったり、夜間の撮影から昼間の撮影に移るようなことがなく、時の移り変わりを自然に繋げた撮影が可能となる。
【００５９】
また、コンピュータが読み取り可能なプログラムコードを有する記録媒体であって、今回撮影された撮影画像と前回撮影された撮影画像とを比較することによって撮影環境が変化したか否かを判別する機能と、撮影環境が変化したことが判別された際に、撮影環境の変化を補完するためにインサート撮影を促すガイダンスを出力する機能とを実現させるためのプログラムを記録したコンピュータが読み取り可能な記録媒体を提供するようにしてもよい。
【符号の説明】
【００６０】
１  ＣＰＵ
２  記憶部
４  記録メディア
５  操作部
６  表示部
７  カメラ撮影部
８  ＧＰＳ受信測位部
ＳＴ  シャッターボタン
ＭＤ  モードボタン
【図１】
2010011500.tif 000003
【図２】
2010011500.tif 000004
【図３】
2010011500.tif 000005
【図４】
2010011500.tif 000006
【図５】
2010011500.tif 000007
【図６】
2010011500.tif 000008
【図７】
2010011500.tif 000009
【図８】
2010011500.tif 000010
【図９】
2010011500.tif 000011
【手続補正書】
【提出日】平成21年11月6日(2009.11.6)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項１記載の発明は、撮影を促す案内を出力する撮影補助案内機能を備えたカメラ装置であって、今回撮影された撮影画像と前回撮影された撮影画像とを比較することによって撮影環境が変化したか否かを判別する判別手段と、この判別手段によって撮影環境が変化したことが判別された際に、撮影環境の変化を補完するためにインサート撮影を促すガイダンスを出力する撮影補助案内手段とを具備したことを特徴とする。
さらに、コンピュータに対して、上述した請求項１記載の発明に示した主要機能を実現させるためのプログラムを提供する（請求項４記載の発明）。
【手続補正８】
【補正対象書類名】明細書
【補正対象項目名】００１４
【補正方法】変更
【補正の内容】
【００１４】
なお、請求項１記載の発明は次のようなものであってもよい。
前記判別手段は、今回撮影された撮影画像と前回撮影された撮影画像との明るさを比較することによって屋内撮影から屋外撮影に変化したか、屋外撮影から屋内撮影に変化したかを判別する（請求項２記載の発明）。
【手続補正９】
【補正対象書類名】明細書
【補正対象項目名】００１５
【補正方法】変更
【補正の内容】
【００１５】
前記インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、前記指定画像に優先して当該次画像を再生表示する（請求項３記載の発明）。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
請求項１記載の発明によれば、今回撮影された撮影画像と前回撮影された撮影画像とを比較することによって撮影環境が変化したか否かを判別し、撮影環境が変化していれば、インサート撮影を促すガイダンスを出力するようにしたから、撮影環境の変化を補完するインサート撮影を案内することができ、撮影環境が変化する毎に各場面を満遍なく撮影することができるなど、効果的な撮影補助案内が可能となる。
【手続補正１７】
【補正対象書類名】明細書
【補正対象項目名】００２３
【補正方法】変更
【補正の内容】
【００２３】
請求項２記載の発明によれば、上述した請求項１記載の発明と同様の効果を有する他、今回撮影された撮影画像と前回撮影された撮影画像との明るさを比較することによって屋内撮影から屋外撮影に変化したか、屋外撮影から屋内撮影に変化したかを判別するようにしたから、たとえば、記念館に入場する際にその看板あるいは建物の外観などをインサート撮影することができる。
【手続補正１８】
【補正対象書類名】明細書
【補正対象項目名】００２４
【補正方法】変更
【補正の内容】
【００２４】
請求項３記載の発明によれば、上述した請求項１記載の発明と同様の効果を有する他、インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、指定画像に優先して当該次画像を再生表示するようにしたから、たとえば、公園を撮影してから記念館で屋内撮影を行った場合、記念館の看板あるいは外観を撮影したインサート画像を再生してから屋内画像を再生することができ、保存影画像の並び順を変更する編集作業を行うことなく、自然な繋がりで画像再生することができる。
【手続補正１９】
【補正対象書類名】特許請求の範囲
【補正対象項目名】全文
【補正方法】変更
【補正の内容】
【特許請求の範囲】
【請求項１】
撮影を促す案内を出力する撮影補助案内機能を備えたカメラ装置であって、
今回撮影された撮影画像と前回撮影された撮影画像とを比較することによって撮影環境が変化したか否かを判別する判別手段と、
この判別手段によって撮影環境が変化したことが判別された際に、撮影環境の変化を補完するためにインサート撮影を促すガイダンスを出力する撮影補助案内手段と、
を具備したことを特徴とするカメラ装置。
【請求項２】
前記判別手段は、今回撮影された撮影画像と前回撮影された撮影画像との明るさを比較することによって屋内撮影から屋外撮影に変化したか、屋外撮影から屋内撮影に変化したかを判別する、
ようにしたことを特徴とする請求項１記載のカメラ装置。
【請求項３】
前記インサート撮影を案内した後に撮影された撮影画像にインサート画像であることを示すインサート情報が付加されている状態において、画像再生時に複数の撮影済み画像をその撮影順に指定して再生表示させる際に、再生対象として指定された指定画像の次ぎに位置する次画像にインサート情報が付加されているか否かを調べ、インサート情報が付加されていれば、前記指定画像に優先して当該次画像を再生表示する、
ようにしたことを特徴とする請求項１記載のカメラ装置。
【請求項４】
コンピュータに対して、
今回撮影された撮影画像と前回撮影された撮影画像とを比較することによって撮影環境が変化したか否かを判別する機能と、
撮影環境が変化したことが判別された際に、撮影環境の変化を補完するためにインサート撮影を促すガイダンスを出力する機能と、
を実現させるためのプログラム。